【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
油圧ポンプと、慣性体を駆動する油圧アクチェータと、前記油圧アクチェータの第１ポートに一端を接続した第１管路と、前記油圧アクチェータの第２ポートに一端を接続した第２管路と、前記第１管路と前記第２管路のいずれか一方を前記油圧ポンプに連通し、前記第１管路と第２管路のいずれか他方をタンクに連通する駆動状態と、前記第１管路と第２管路の前記油圧ポンプまたは前記タンクとの連通を遮断する中立状態とを切り替えるコントロールバルブと、前記第１管路の圧力と前記第２管路の圧力が設定圧力以上のときにその高圧油を前記タンクに流出させる安全弁と、前記第１管路と前記第２管路に前記タンクから作動油を吸い込む吸込弁とを備えた油圧回路に設けられた慣性体の揺れ戻し防止装置であって、
前記第１管路に入口側を接続した第１開閉切換弁と、前記第２管路に入口側を接続した第２開閉切換弁と、前記第１開閉切換弁の出口側と前記第２開閉切換弁の出口側とを接続した第３管路と、前記第３管路を介して接続されたダンパとを備え、
前記第１または第２開閉切換弁は、前記第１管路または第２管路の圧力が設定圧力以上に上昇後、前記設定圧以下に降下したときに開動作し、前記第１管路または第２管路と前記ダンパとを連通し、
前記第１または第２開閉切換弁の出口側と入口側との圧力が略同一になったとき、または、前記第１または第２開閉切換弁の開状態が一定時間を超えたときに閉動作する制御手段を備える
ことを特徴とする慣性体の揺れ戻し防止装置。
【請求項２】
油圧ポンプと、慣性体を駆動する油圧アクチェータと、前記油圧アクチェータの第１ポートに一端を接続した第１管路と、前記油圧アクチェータの第２ポートに一端を接続した第２管路と、前記第１管路と前記第２管路のいずれか一方を前記油圧ポンプに連通し、前記第１管路と第２管路のいずれか他方をタンクに連通する駆動状態と、前記第１管路と第２管路の前記油圧ポンプまたは前記タンクとの連通を遮断する中立状態とを切り替えるコントロールバルブと、前記第１管路の圧力と前記第２管路の圧力が設定圧力以上のときにその高圧油を前記タンクに流出させる安全弁と、前記第１管路と前記第２管路に前記タンクから作動油を吸い込む吸込弁とを備えた油圧回路に設けられた慣性体の揺れ戻し防止装置であって、
前記第１管路に入口側を接続した第１電磁開閉切換弁と、前記第２管路に入口側を接続した第２電磁開閉切換弁と、前記第１電磁開閉切換弁の出口側と前記第２電磁開閉切換弁の出口側とを接続した第３管路と、前記第３管路を介して接続されたダンパと、前記第１管路乃至３管路の圧力を検出する第１乃至第３圧力検知手段と、前記第１乃至第３圧力検知手段からの各圧力信号を取込み、各圧力信号に応じて前記第１電磁開閉切換弁及び前記第２電磁開閉切換弁に開閉指令を出力するコントローラとを備え、
前記コントローラは、前記第１または第２圧力検知手段からの圧力信号が設定圧力値以上に上昇後、前記設定圧力値以下に降下したときに前記第１または第２電磁開閉切換弁に開指令を出力し、
前記第１または第２圧力検知手段からの圧力信号が前記第３圧力検知手段からの圧力信号と略同一になったとき、または、前記第１または第２電磁開閉切換弁の開状態が一定時間を超えたときに前記第１または第２電磁開閉切換弁に閉指令を出力する電気制御手段を備える
ことを特徴とする慣性体の揺れ戻し防止装置。
【請求項３】
請求項１または２に記載の慣性体の揺れ戻し防止装置において、
前記ダンパは、シリンダ本体と、前記シリンダ本体内に摺動可能に設けたピストンと、前記ピストンにより画成された第１チャンバと第２チャンバと、前記第１チャンバと前記第２チャンバとを連通させる絞り孔と、前記第２チャンバ内に設けたばねとを備える
ことを特徴とする慣性体の揺れ戻し防止装置。
【請求項４】
請求項２に記載の慣性体の揺れ戻し防止装置において、
前記コントロールバルブの操作量を検知する操作量検知手段と、
前記操作量検知手段からの信号をさらに取込む前記コントローラとを備え、
前記コントローラは、前記操作量検知手段からの信号に基づいて前記設定圧力値を算出する
ことを特徴とする慣性体の揺れ戻し防止装置。
【手続補正２】
【補正対象書類名】明細書
【補正対象項目名】００１３
【補正方法】変更
【補正の内容】
【００１３】
上記の目的を達成するために、第１の発明は、油圧ポンプと、慣性体を駆動する油圧アクチェータと、前記油圧アクチェータの第１ポートに一端を接続した第１管路と、前記油圧アクチェータの第２ポートに一端を接続した第２管路と、前記第１管路と前記第２管路のいずれか一方を前記油圧ポンプに連通し、前記第１管路と第２管路のいずれか他方をタンクに連通する駆動状態と、前記第１管路と第２管路の前記油圧ポンプまたは前記タンクとの連通を遮断する中立状態とを切り替えるコントロールバルブと、前記第１管路の圧力と前記第２管路の圧力が設定圧力以上のときにその高圧油を前記タンクに流出させる安全弁と、前記第１管路と前記第２管路に前記タンクから作動油を吸い込む吸込弁とを備えた油圧回路に設けられた慣性体の揺れ戻し防止装置であって、前記第１管路に入口側を接続した第１開閉切換弁と、前記第２管路に入口側を接続した第２開閉切換弁と、前記第１開閉切換弁の出口側と前記第２開閉切換弁の出口側とを接続した第３管路と、前記第３管路を介して接続されたダンパとを備え、前記第１または第２開閉切換弁は、前記第１管路または第２管路の圧力が設定圧力以上に上昇後、前記設定圧以下に降下したときに開動作し、前記第１管路または第２管路と前記ダンパとを連通し、前記第１または第２開閉切換弁の出口側と入口側との圧力が略同一になったとき、または、前記第１または第２開閉切換弁の開状態が一定時間を超えたときに閉動作する制御手段を備えるものとする。
【手続補正３】
【補正対象書類名】明細書
【補正対象項目名】００１４
【補正方法】変更
【補正の内容】
【００１４】
また、第２の発明は、油圧ポンプと、慣性体を駆動する油圧アクチェータと、前記油圧アクチェータの第１ポートに一端を接続した第１管路と、前記油圧アクチェータの第２ポートに一端を接続した第２管路と、前記第１管路と前記第２管路のいずれか一方を前記油圧ポンプに連通し、前記第１管路と第２管路のいずれか他方をタンクに連通する駆動状態と、前記第１管路と第２管路の前記油圧ポンプまたは前記タンクとの連通を遮断する中立状態とを切り替えるコントロールバルブと、前記第１管路の圧力と前記第２管路の圧力が設定圧力以上のときにその高圧油を前記タンクに流出させる安全弁と、前記第１管路と前記第２管路に前記タンクから作動油を吸い込む吸込弁とを備えた油圧回路に設けられた慣性体の揺れ戻し防止装置であって、前記第１管路に入口側を接続した第１電磁開閉切換弁と、前記第２管路に入口側を接続した第２電磁開閉切換弁と、前記第１電磁開閉切換弁の出口側と前記第２電磁開閉切換弁の出口側とを接続した第３管路と、前記第３管路を介して接続されたダンパと、前記第１管路乃至３管路の圧力を検出する第１乃至第３圧力検知手段と、前記第１乃至第３圧力検知手段からの各圧力信号を取込み、各圧力信号に応じて前記第１電磁開閉切換弁及び前記第２電磁開閉切換弁に開閉指令を出力するコントローラとを備え、前記コントローラは、前記第１または第２圧力検知手段からの圧力信号が設定圧力値以上に上昇後、前記設定圧力値以下に降下したときに前記第１または第２電磁開閉切換弁に開指令を出力し、前記第１または第２圧力検知手段からの圧力信号が前記第３圧力検知手段からの圧力信号と略同一になったとき、または、前記第１または第２電磁開閉切換弁の開状態が一定時間を超えたときに前記第１または第２電磁開閉切換弁に閉指令を出力する電気制御手段を備えるものとする。